(57)【要約】【課題】雄端子の位置が雌端子に対してズレていても雌端子においてこのズレに対応する。【解決手段】弾性及び導電性を有する金属板をもって、所要の長さ及び幅を有する長方形のベース部２と、該ベース部２の長辺側の一方の縁に連続する、所要の幅を有すると共に長さが該ベース部２よりも長い帯状の支持部３とを形成する。前記支持部３を前記ベース部２に対して直角に折曲すると共に、前記支持部３における前記ベース部２より張り出す部分３Ａに、前記ベース部の長さ方向に沿った部分３ａと前記ベース部の幅方向に沿った部分３ｂとを形成する。更に該ベース部の幅方向に沿った部分３ｂの先端側に所要の径になるように平面円形に屈曲して雄端子嵌挿部３ｃを形成する。【選択図】図１
2012156120.tif 000002
【特許請求の範囲】
【請求項１】
弾性及び導電性を有する金属板をもって、所要の長さ及び幅を有する長方形のベース部と、該ベース部の長辺側の一方の縁に連続する、所要の幅を有すると共に長さが該ベース部よりも長い帯状の支持部とを形成し、前記支持部を前記ベース部に対して直角に折曲すると共に、前記支持部における前記ベース部より張り出す部分に、前記ベース部の長さ方向に沿った部分と前記ベース部の幅方向に沿った部分とを形成し、更に該ベース部の幅方向に沿った部分の先端側に所要の径になるように平面円形に屈曲して雄端子嵌挿部を形成してなることを特徴とするソケット用雌端子。
【請求項２】
前記支持部における前記ベース部より張り出す部分の前記ベース部の幅方向に沿った部分の先端側に、更に前記ベース部に向けて前記ベース部の長さ方向に沿った部分を形成すると共にその先端側に前記ベース部の幅方向に沿った部分を形成し、該部分の先端側に前記雄端子嵌挿部を形成してなる請求項１記載のソケット用雌端子。
【請求項３】
前記支持部における前記ベース部より張り出す部分の前記ベース部の幅方向に沿った部分を円弧状に彎曲させてなる請求項１記載のソケット用雌端子。
【請求項４】
前記支持部における前記ベース部より張り出す部分の前記ベース部の長さ方向に沿った部分と前記ベース部の幅方向に沿った部分とを円弧状に彎曲させてなる請求項１記載のソケット用雌端子。
【発明の詳細な説明】
【技術分野】
【０００１】  本発明はソケット用雌端子に関するものである。
【背景技術】
【０００２】  自動車の電源用等のソケットに用いられる雌端子は、従来は図１４に示す如き、弾性及び導電性を有する金属板からなる、対向する左右一対の雌端子部材をもって構成されているものが一般的であった。尚、該図において１００は雌端子、１０１，１０１は一対の雌端子部材である。そして、該一対の雌端子部材１０１，１０１は、ピン（丸棒）状の雄端子１０２が嵌挿されると、一旦開いた後それ自身の弾性により該雄端子１０２を左右両側から挟持するものである。【０００３】  ところで、ソケットにおいては、雄端子が雌端子の位置に合わせて複数並列してソケット本体から突出している。そしてこれら雄端子は理想的には雌端子の位置と完全に一致することが望ましいが、制作上の問題等から実際上はズレを生じて一致しないことが多い。【０００４】  そして、このように雄端子に雌端子との位置ズレがある場合において、該雄端子が嵌挿される雌端子は常に所定の位置に固定されていることから、従来の雌端子にあってはこの雄端子の位置ズレに対応することができなかった。【０００５】  例えば、図１４に示す如き雌端子の場合、左右一対の雌端子部材１０１，１０１の対向方向側に沿って雄端子１０２がズレる場合には、弾性をもってこれに対応することが可能であるが、これと直交する方向にズレる場合には対応することができない。また、雄端子がズレた状態で雌端子に嵌挿されるときには、抜き差し時の応力が大きくなるという問題もある。【０００６】  また、図１４に示す如き左右一対の雌端子部材１０１，１０１で雄端子１０２を挟む雌端子１００の場合には、例えば自動車が急停止して雄端子１０２が急激に振動したときに、該雄端子１０２が左右一対の雌端子部材１０１，１０１を交互に瞬間的に叩き、一瞬雄端子１０２が雌端子部材１０１，１０１のいずれにも接触しない事態がおこることがある。そしてこのときには瞬間的に通電が遮断されることになる。
【発明の概要】
【発明が解決しようとする課題】
【０００７】  本発明は上記の点に鑑みなされたものであって、雄端子の位置が雌端子に対してズレていたとしても、雌端子においてこのズレに対応し、両者の全体的且つ安定的な接触を得ることができると共に雄端子の抜き差し時の応力が大きくなることを防ぐことができ、加えて雄端子が急激に振動したとしても雌端子との接触状態を確実に維持することができるようになしたソケット用雌端子を提供しようとするものである。
【課題を解決するための手段】
【０００８】  而して、本発明の要旨とするところは、弾性及び導電性を有する金属板をもって、所要の長さ及び幅を有する長方形のベース部と、該ベース部の長辺側の一方の縁に連続する、所要の幅を有すると共に長さが該ベース部よりも長い帯状の支持部とを形成し、前記支持部を前記ベース部に対して直角に折曲すると共に、前記支持部における前記ベース部より張り出す部分に、前記ベース部の長さ方向に沿った部分と前記ベース部の幅方向に沿った部分とを形成し、更に該ベース部の幅方向に沿った部分の先端側に所要の径になるように平面円形に屈曲して雄端子嵌挿部を形成してなることを特徴とするソケット用雌端子にある。【０００９】  また、上記構成において、前記支持部における前記ベース部より張り出す部分の前記ベース部の幅方向に沿った部分の先端側に、更に前記ベース部に向けて前記ベース部の長さ方向に沿った部分を形成すると共にその先端側に前記ベース部の幅方向に沿った部分を形成し、該部分の先端側に前記雄端子嵌挿部を形成するようにしてもよい。【００１０】  また、上記構成において、前記支持部における前記ベース部より張り出す部分の前記ベース部の幅方向に沿った部分を円弧状に彎曲させるようにしてもよい。【００１１】  また、上記構成において、前記支持部における前記ベース部より張り出す部分の前記ベース部の長さ方向に沿った部分と前記ベース部の幅方向に沿った部分とを円弧状に彎曲させるようにしてもよい。
【発明の効果】
【００１２】  本発明は上記の如き構成であるから、雄端子の位置が雌端子に対してズレていたとしても、雌端子においてこのズレに対応し、両者の全体的且つ安定的な接触を得ることができると共に雄端子の抜き差し時の応力が大きくなることを防ぐことができ、加えて雄端子が急激に振動したとしても雌端子との接触状態を確実に維持することができるものである。
【図面の簡単な説明】
【００１３】
【図１】本発明に第１実施形態に係るソケット用雌端子の斜視図である。
【図２】同正面図である。
【図３】同平面図である。
【図４】同展開平面図である。
【図５】同ソケットに組み込んだ状態におけるソケット本体を省略して示した斜視図である。
【図６】同作用説明図であり、雄端子がベース部の幅方向にズレた場合の対応状態を示すものである。
【図７】同作用説明図であり、雄端子がベース部の長さ方向にズレた場合の対応状態を示すものである。
【図８】同作用説明図であり、雄端子がズレた状態における雄端子と雌端子の嵌挿状態の断面図である。
【図９】本発明の第２実施形態に係るソケット用雌端子の平面図である。
【図１０】本発明の第３実施形態に係るソケット用雌端子の平面図である。
【図１１】本発明の第４実施形態に係るソケット用雌端子の平面図である。
【図１２】本発明の第５実施形態に係るソケット用雌端子の平面図である。
【図１３】本発明の第６実施形態に係るソケット用雌端子の平面図である。
【図１４】従来のソケット用雌端子の説明図である。
【発明を実施するための形態】
【００１４】    以下、本発明を実施するための形態について、図面を参照して説明する。
【００１５】  図１乃至図８は本発明の第１実施形態を示すものであり、図中１はソケット用雌端子である。また、該ソケット用雌端子１は、弾性及び導電性を有する金属板をもって、所要の長さＬ１及び幅Ｗ１を有する長方形のベース部２と、該ベース部２の長辺側の一方の縁に連続する、所要の幅Ｗ２を有すると共に長さＬ２が該ベース部２よりも長い帯状の支持部３とを形成し、前記支持部３を前記ベース部２に対して直角に折曲すると共に、前記支持部３における前記ベース部２より張り出す部分３Ａに、前記ベース部の長さ方向に沿った部分３ａと前記ベース部の幅方向に沿った部分３ｂとを形成し、更に該ベース部の幅方向に沿った部分３ｂの先端側に所要の径になるように平面円形に屈曲して雄端子嵌挿部３ｃを形成してなるものである。尚、Ｒは折曲部分を示す。
【００１６】  次に、本実施形態の作用について説明する。
ソケット用雌端子１は、図５に示す如く、ソケットにおける各リード４，４，４にベース部２を溶接することによって固定される。また、該ソケット用雌端子１に嵌挿するピン（丸棒）状の雄端子５，５，５は、該ソケット用雌端子１の夫々に合わせて所定の間隔Ｌで並列され、上方から嵌挿される。このとき、これらの雄端子５，５，５の内でソケット用雌端子１に対して位置がズレているものがある場合には、該ズレている雄端子５を嵌挿するときに、該ソケット用雌端子１における雄端子嵌挿部３ｃがズレに見合った位置に、軸線を垂直に保ったまま水平に移動し、このズレに対応するものである。
【００１７】  即ち、雄端子嵌挿部３ｃは、支持部３のベース部２より張り出す部分３Ａによって片持ち状に支持され、そして該支持部３におけるベース部２により張り出す部分３Ａには、ベース部の長さ方向に沿った部分３ａとベース部の幅方向に沿った部分３ｂとが形成されていることから、例えば、図６に示す如く雄端子５がベース部２の幅方向にズレている（ＡからＡ´へのズレ）と、支持部３におけるベース部２より張り出す部分３Ａのベース部の長さ方向に沿った部分３ａがそれに見合うように撓み、また、図７に示す如く雄端子５がベース部２の長さ方向にズレている（ＡからＡ´へのズレ）と、支持部３におけるベース部２より張り出す部分３Ａのベース部の幅方向に沿った部分３ｂがそれに見合うように撓み、そして雄端子５がこれらの中間の方向にズレている場合には、これらの撓みが合成され、水平方向におけるどの方向に対しても、雄端子嵌挿部３ｃが軸線を垂直に保ったまま、即ちベース部２に対して直角を保持したまま移動することが可能となるものである。そして、これらの場合において、雄端子嵌挿部３ｃと雄端子５とはその軸線が一致するから、図８に示す如く、両者の全体的且つ安定的な接触を得ることができるものである。
【００１８】  また、雄端子嵌挿部３ｃに雄端子５を差し込むときには、該雄端子嵌挿部３ｃは上記の如く軸線を垂直に保ったまま所要の位置に移動し、即ち雄端子５と軸線が一致し、且つまた雄端子嵌挿部３ｃは端部が切り離し状態であるから、バネの弾性により容易に拡径する。したがって、雄端子５の差し込み或いは抜くときの応力が従来品の如く大きくならないものである。
【００１９】  また、雄端子嵌挿部３ｃは雄端子５に抱き付くようにそれの周囲を全体にわたって包囲しているから、雄端子５が急激に振動したとしても、両者は必ずいずれかの部分において接触しており、従来品における上記問題点を解消することができるものである。
【００２０】  次に、図９に示した本発明の第２実施形態について説明する。
本実施形態と前記第１実施形態とは、本実施形態において、前記支持部３における前記ベース部より張り出す部分３Ａの前記ベース部の幅方向に沿った部分３ｂの先端側に、更に前記ベース部２に向けて前記ベース部の長さ方向に沿った部分３ｄを形成すると共にその先端側に前記ベース部の幅方向に沿った部分３ｅを形成し、該部分３ｅの先端側に前記雄端子嵌挿部３ｃを形成した点において相違するものである。本実施形態によれば、ベース部２に向けて形成したベース部の長さ方向に沿った部分３ｄと、それの先端側に形成したベース部の幅方向に沿った部分３ｅとが加わることによって撓み具合がより良好になり、前記第１実施形態におけるよりも効率を高めることができるものである。尚、その他の構成並びに作用は前記第１実施形態と同様であるから、同一の部材には同一の符号を付して詳細な説明は省略する。
【００２１】  次に、図１０に示した本発明の第３実施形態について説明する。
本実施形態は前記第２実施形態を変形させたものであり、本実施形態と前記第２実施形態とは、本実施形態において、前記第２実施形態におけるベース部の幅方向に沿った部分３ｅを長くし、その先端側をベース部２と反対側に折曲して先端に雄端子嵌挿部３ｃを形成した点において相違するものである。尚、その他の構成並びに作用は前記第２実施形態と同様であるから、同一の部材には同一の符号を付して詳細な説明は省略する。
【００２２】  次に、図１１に示した本発明の第４実施形態について説明する。
本実施形態と前記第１実施形態とは、本実施形態において、前記支持部３における前記ベース部より張り出す部分３Ａの前記ベース部の幅方向に沿った部分３ｂを円弧状に彎曲させた点において相違するものである。尚、その他の構成並びに作用は前記第１実施形態と同様であるから、同一の部材には同一の符号を付して詳細な説明は省略する。
【００２３】  次に、図１２に示した本発明の第５実施形態について説明する。
本実施形態は前記第４実施形態を変形させたものであり、本実施形態と前記第４実施形態とは、本実施形態において、前記第４実施形態におけるベース部の幅方向に沿った部分３ｂの先端にベース部２に向けてベース部の長さ方向に沿った部分３ｂ´を形成し、その先端に雄端子嵌挿部３ｃを形成した点において相違するものである。尚、その他の構成並びに作用は前記第４実施形態と同様であるから、同一の部材には同一の符号を付して詳細な説明は省略する。
【００２４】  次に、図１３に示した本発明の第６実施形態について説明する。
本実施形態と前記第１実施形態とは、本実施形態において、前記支持部３における前記ベース部より張り出す部分３Ａの前記ベース部の長さ方向に沿った部分３ａと前記ベース部の幅方向に沿った部分３ｂとを円弧状に彎曲させた点において相違するものである。尚、その他の構成並びに作用は前記第１実施形態と同様であるから、同一の部材には同一の符号を付して詳細な説明は省略する。
【符号の説明】
【００２５】  １  ソケット用雌端子
２  ベース部
３  支持部
３Ａ  支持部のベ−ス部より張り出す部分
３ａ  ベース部の長さ方向に沿った部分
３ｂ  ベース部の幅方向に沿った部分
３ｃ  雄端子嵌挿部
３ｄ  ベース部の長さ方向に沿った部分
３ｅ  ベース部の幅方向に沿った部分
【図１】
2012156120.tif 000003
【図２】
2012156120.tif 000004
【図３】
2012156120.tif 000005
【図４】
2012156120.tif 000006
【図５】
2012156120.tif 000007
【図６】
2012156120.tif 000008
【図７】
2012156120.tif 000009
【図８】
2012156120.tif 000010
【図９】
2012156120.tif 000011
【図１０】
2012156120.tif 000012
【図１１】
2012156120.tif 000013
【図１２】
2012156120.tif 000014
【図１３】
2012156120.tif 000015
【図１４】
2012156120.tif 000016